(57)【要約】【課題】本発明は、主ナットおよび副ナットの接触面に設けた凹凸部の破損を防止し、ネジの緩みを確実に防止できるネジのロック装置を提供することを目的とするものである。【解決手段】本発明のネジのロック装置は、雄ネジ部と、当該雄ネジ部の先端部分に、当該雄ネジ部の螺旋方向とは逆方向に刻設された逆ネジ部とを有し、前記雄ネジ部に嵌合する主ナットと、前記逆ネジ部に嵌合するロック用押さえ具とを備えており、前記主ナットと前記ロック用押さえ具との当接面部分に回り止め係合手段を設けるとともに、前記主ナットを前記ロック用押さえ具側に付勢する付勢部材を設けたことを特徴とするものである。【選択図】  図１
2004204867.tif 000002
【特許請求の範囲】
【請求項１】
雄ネジ部と、当該雄ネジ部の先端部分に、当該雄ネジ部の螺旋方向とは逆方向に刻設された逆ネジ部とを有し、前記雄ネジ部に嵌合する主ナットと、前記逆ネジ部に嵌合するロック用押さえ具とを備えており、前記主ナットと前記ロック用押さえ具との当接面部分に回り止め係合手段を設けるとともに、前記主ナットを前記ロック用押さえ具側に付勢する付勢部材を設けたことを特徴とするネジのロック装置。
【請求項２】
逆ネジ部が、雄ネジ部の先端部分に延設されており、雄ネジ部よりも小径の雄ネジで形成されていることを特徴とする請求項１記載のネジのロック装置。
【請求項３】
逆ネジ部が、雄ネジ部の先端部分に穿設された雌ネジで形成されていることを特徴とする請求項１記載のネジのロック装置。
【請求項４】
回り止め係合手段が、主ナットとロック用押さえ具との当接面部分に鋸歯状の凹凸による嵌合で形成されていることを特徴とする請求項１から請求項３のいずれかに記載のネジのロック装置。
【発明の詳細な説明】
【０００１】
【発明の属する技術分野】
本発明は、ネジの緩みを防止するロック装置に関するものである。
【０００２】
【従来の技術】
従来、ネジの緩みを防止するロック装置としては、雄ネジ部と、雄ネジ部よりも小径で、雄ネジ部とは逆方向に螺旋が刻設された逆ネジ部とを備え、雄ネジ部に螺合する主ナットと、逆ネジ部に螺合する副ナットとを備えたものがある（例えば、特許文献１参照。）。
上記のロック装置では、主ナットと副ナットとの螺合方向が逆方向であるため、主ナットの緩みは副ナットにより阻止されているが、主ナットと副ナットとの接触面が平面状であるため、振動などの外力を受けて副ナットが緩んだ場合には、主ナットと副ナットとの間の接触摩擦が低下し、副ナットが主ナットの緩みを阻止できなくなるという不具合が生じる。
そこで、このような不具合に対して、主ナットと副ナットとの接触面に凹凸部を形成して、主ナットと副ナットとの接触面を互いに噛合させることにより、副ナットに緩み方向への回転運動が発生した場合に、噛合された凹凸部を介して、主ナットに締め付け方向への回転運動を起こすことにより、主ナットの緩みを防止するロック装置が提案されている（例えば、特許文献２参照。）。
【０００３】
【特許文献１】
実開昭５９−１６４８１５号公報
【特許文献２】
実開平７−４３４９１号公報
【０００４】
【発明が解決しようとする課題】
しかしながら、上記のロック装置は、副ナットの脱着時には、主ナットと副ナットとの接触面に形成された凹凸部が、過度の荷重がかかった状態で擦り合わされるため、凹凸部が破損してしまうという不具合がある。その結果、主ナットと副ナットとの接触面が噛合されにくく、主ナットの緩みを防止することができないという恐れが生じる。
【０００５】
本発明は、上記問題点に鑑みて提案されたものであって、主ナットおよび副ナットの接触面に設けた凹凸部の破損を防止し、ネジの緩みを確実に防止できるネジのロック装置を提供することを目的とするものである。
【０００６】
【課題を解決するための手段】
以上の目的を達成するために、本発明のネジのロック装置は、雄ネジ部と、当該雄ネジ部の先端部分に、当該雄ネジ部の螺旋方向とは逆方向に刻設された逆ネジ部とを有し、前記雄ネジ部に嵌合する主ナットと、前記逆ネジ部に嵌合するロック用押さえ具とを備えており、前記主ナットと前記ロック用押さえ具との当接面部分に回り止め係合手段を設けるとともに、前記主ナットを前記ロック用押さえ具側に付勢する付勢部材を設けたことを特徴とするものである。
逆ネジ部は、雄ネジ部の先端部分に延設されており、雄ネジ部よりも小径の雄ネジで形成されていてもよい。
また、逆ネジ部は、雄ネジ部の先端部分に穿設された雌ネジで形成されていてもよい。
回り止め係合手段は、主ナットとロック用押さえ具との当接面部分に鋸歯状の凹凸による嵌合で形成されていてもよい。
【０００７】
【発明の実施の形態】
以下に、本発明にかかる実施形態を詳細に説明する。
【０００８】
本実施形態のネジのロック装置Ｒ１は、図１に示すように、被固定部材Ａ、Ｂを締め付けて固定するもので、頭部２１と軸部２２とを備えてなるボルト２と、ボルト２の軸部２２に螺着される主ナット３およびロック用押さえ具としての副ナット４と、ボルト２の頭部２１と被固定部材Ａとの間に介装される座金５と、主ナット３と被固定部材Ｂとの間に介装される付勢部材としてのスプリングワッシャー６とを備えて構成されている。
【０００９】
ボルト２は、正面視六角形状の頭部２１と、頭部２１の下面に連設された軸部２２とを備えている。軸部２２の遊端部側には、雄ネジ部２３と、雄ネジ部２３とは螺旋方向が逆方向の逆ネジ部２４とが設けられており、逆ネジ部２４は、雄ネジ部２３の先端部分に雄ネジ部２３よりも小径に形成されている。
【００１０】
主ナット３は、図１、図３に示すように、正面視六角形状で、内周面に雄ネジ部２３に螺合可能な主雌ネジ部３１が形成されている。そして、副ナット４との対向面には、軸中心から放射状に谷部および山部を連続した状態で設けてなる凹凸面３２が形成されている。
【００１１】
副ナット４は、図１、図４に示すように、主ナット３とほぼ同じ大きさの正面視六角形状で、内周面には、逆ネジ部２４に螺合可能な副雌ネジ部４１が形成されている。また、副ナット４は、一端にボルト２の雄ネジ部２３よりも大径の中空部４３を備えており、中空部４３の端面には、主ナット３に形成された凹凸面３２に噛合う凹凸面４２が形成されている。
【００１２】
凹凸面３２、４２は、図２に示すように、鋸歯状に形成されており、互いに噛合することにより、主ナット３および副ナット４の回り止め係合手段を構成している。
【００１３】
次に、ネジのロック装置Ｒ１の使用手順について説明する。
まず、図１に示すように、あらかじめボルト２の頭部２１に座金５を取り付けておき、被固定部材Ａ，Ｂに設けられたボルト孔ａ，ｂに、座金５を取り付けたボルト２の軸部２２を挿通する。
次に、ボルト２の軸部２２にスプリングワッシャー６、主ナット３の順に挿通する。主ナット３は、凹凸面３２を逆ネジ部２４側に向けた状態で挿通される。そして、主ナット３をボルト２の雄ネジ部２３に螺合させ、スプリングワッシャー６の縮み方向いっぱいまで堅く締め込む。
次に、副ナット４の凹凸面４２を主ナット３の凹凸面３２に対向させた状態で、副ナット４をボルト２の逆ネジ部２４に螺合させて、副ナット４の凹凸面４２が主ナット３の凹凸面３２とわずかに離間する位置まで、副ナット４を締め込んでいく。その後、主ナット３を適宜に弛緩方向に戻して、スプリングワッシャー６により主ナット３を副ナット４側に付勢した状態で、副ナット４の凹凸面４２に主ナット３の凹凸面３２を噛合させる。
【００１４】
ボルト２を被固定部材Ａ，Ｂから取り外す際には、まず、主ナット３を、スプリングワッシャー６を圧縮する方向に一旦締め込み、主ナット３と副ナット４との凹凸面３２、４２の噛合状態を解除する。次に、副ナット４を弛緩させて取り外す。副ナット４を取り外した後は、主ナット３、スプリングワッシャー６、ボルト２、座金５を順に取り外せばよい。
【００１５】
以上のように、本実施形態のネジのロック装置Ｒ１によれば、ボルト２の軸部２２に正逆両方向に刻設された雄ネジ部２３および逆ネジ部２４に螺合する主ナット３および副ナット４の対向面に凹凸面３２、４２を形成して、凹凸面３２、４２同士を噛合させることにより、主ナット３および副ナット４の緩みを防止する構成としただけでなく、主ナット３と被固定部材Ｂとの間にスプリングワッシャー６を介装したものであるので、スプリングワッシャー６の伸縮性を利用して噛合状態を解除して、凹凸面３２、４２に無理な圧縮荷重をかけることなく副ナット４を取り外すことができる。そのため、凹凸面３２、４２が損傷しにくく、着脱を繰り返しても、主ナット３および副ナット４によるボルト締結力が低下することがない。
【００１６】
また、主ナット３および副ナット４は、凹凸面３２、４２が鋸歯状に形成されているので、成形が容易である上、互いの凹凸を噛合させる際の位置合わせがしやすい。
【００１７】
また、主ナット３および副ナット４の外径をほぼ同一径に形成しているので、１つのスパナで両ナット３、４の着脱を行うことができ、利便性に優れる。
【００１８】
また、副ナット４は、ボルト２の雄ネジ部２３よりも大径に形成された中空部４３を有しているので、被固定部材Ａ，Ｂの厚みに応じて、雄ネジ部２３側に移動可能である。したがって、副ナット４を逆ネジ部２４に確実に取り付けることができる。
【００１９】
なお、雄ネジ部２３および逆ネジ部２４におけるネジの螺旋方向は、上記実施の形態に限られず、何れか一方が正方向で、他の一方が逆方向であればよい。
【００２０】
また、凹凸面３２、４２の形状は、鋸歯状に限られず、主ナット３と副ナット４とが係合する構造であればよく、例えば、何れか一方の面に複数個の突起を形成し、他方の面にこの突起が嵌合する嵌合穴を形成してもよい。
【００２１】
また、主ナット３を副ナット４側に付勢する付勢部材としては、スプリングワッシャー６などのばねに限られず、ゴムなどの弾性材料で形成されたパッキンであってもよい。
【００２２】
さらに、ボルト２の形状は、六角ボルトに限られず、例えば、植え込みボルトであってもよい。
【００２３】
本発明にかかる他の実施形態のネジのロック装置Ｒ２として、図５に示すように、被固定部材Ａ，Ｂに挿通させるボルト２０に、ボルト２０に螺着される主ナット３と副ボルト７とを用いた構成としてもよい。なお、ボルト２０および副ボルト７以外の構成は、上述した実施の形態と同様である。
【００２４】
すなわち、ボルト２０は、正面視六角形状の頭部２１と、頭部２１の下面に連設される軸部２５とを備えており、軸部２５の遊端部側に雄ネジ部２６が設けられ、雄ネジ部２６の先端部分に雄ネジ部２６の螺旋方向と逆方向に刻設された雌ネジ孔２７が設けられている。
【００２５】
副ボルト７は、主ナット３とほぼ同じ大きさに形成された正面視六角形状の頭部７１と、頭部７１の下面に連設される軸部７２とを備えている。軸部７２は、雌ネジ孔２７の深さよりも短く、外周面全体に雌ネジ孔２７に螺合可能な副雄ネジ部７３が刻設されている。また、頭部７１は、一端にボルト２０の雄ネジ部２６よりも大径の中空部７４を備えており、中空部７４の端面には、主ナット３に形成された凹凸面３２０に噛合う凹凸面４２０が形成されている。
【００２６】
したがって、ボルト２０を主ナット３および副ボルト７で確実に固定することができる上、軸部２５の先端部分を副ボルト７の頭部７１で完全に覆い、保護することができる。
【００２７】
さらに、副ボルト７は、ボルト２０の雄ネジ部２６よりも大径に形成された中空部７４を有しているので、被固定部材Ａ，Ｂの厚みに応じて、雄ネジ部２６側に移動可能である。したがって、副ボルト７を雌ネジ孔２７に確実に取り付けることができる。
【００２８】
また、雌ネジ孔２７が、雄ネジ部２６の先端部から軸部２５の内部に向かって設けられているので、ボルト２０の軸部２５の長さを有効に利用することができ、ボルト２０の全長をコンパクトにすることができる。
【００２９】
さらに、本発明にかかる他の実施形態のネジのロック装置Ｒ３として、図６、図７に示すように、主ナット８と副ナット９とを回り止め係止手段としての係止具１０により一体に止め付けた構成としてもよい。なお、主ナット８および副ナット９以外の構成は、上述した実施の形態と同様である。
【００３０】
すなわち、主ナット８は、正面視六角形状で、大径部８２と小径部８３とを備えており、小径部８３に１対の係止孔８４が対向配置されている。また、主ナット８の内周面には、雄ネジ部２８に螺合可能な主雌ネジ部８１が形成されている。
【００３１】
副ナット９は、主ナット８とほぼ同じ大きさの正面視六角形状で、一端側に主ナット８の小径部８３を挿嵌可能な中空部９２を備えている。中空部９２には、係止孔８４と同じ大きさの一対の貫通孔９４が、主ナット８の小径部８３を副ナット９の中空部９２に嵌合させた際に、係止孔８４と連通可能な位置に対向配置されている。また、副ナット９の内周面には、逆ネジ部２９に螺合可能な副雌ネジ部９１が形成されている。
【００３２】
係止具１０は、弾性を有し、貫通孔９４および係止孔８４に挿嵌可能な径に形成された金属製の線材からなり、図７に示すように、円弧状に湾曲形成されており、両端部が内側に折り込まれた形状に形成されている。
【００３３】
そして、被固定部材Ａ，Ｂに挿通させたボルト２００に対して、まず、主ナット８の小径部８３をボルト２００の逆ネジ部２９側に向けて、主ナット８を雄ネジ部２８に螺着し、次に、副ナット９の中空部９２を小径部８３側に向けて、副ナット９を逆ネジ部２９に螺着する。その後、貫通孔９４および係止孔８４に係止具１０の両端部を挿通させて、主ナット８と副ナット９とを一体に固定する。
【００３４】
このように、回り止め手段を係止具１０で構成すれば、主ナット８および副ナット９に凹凸面を形成しなくてもよいため、製造が容易となる。
【００３５】
【発明の効果】
本発明のネジのロック装置は、雄ネジ部と、当該雄ネジ部の先端部分に、当該雄ネジ部の螺旋方向とは逆方向に刻設された逆ネジ部とを有し、前記雄ネジ部に嵌合する主ナットと、前記逆ネジ部に嵌合するロック用押さえ具とを備えており、前記主ナットと前記ロック用押さえ具との当接面部分に回り止め係合手段を設けるとともに、前記主ナットを前記ロック用押さえ具側に付勢する付勢部材を設けたものである。したがって、主ナットおよびロック用押さえ具の弛緩方向への回転を確実に阻止できるだけでなく、ロック用押さえ具を脱着する際に、主ナットを付勢部材側に締め込むことにより、主ナットとロック用押さえ具との係合状態を解除できる。その結果、回り止め係合手段に負荷を掛けることなく、ロック用押さえ具を脱着することができる。したがって、主ネジを確実にロックできる上、回り止め係合手段の損傷を防止できる。
【図面の簡単な説明】
【図１】本発明に係る１実施形態のネジのロック装置の取り付け状態を示す断面図。
【図２】図１に示すネジのロック装置の回り止め係合手段の係合状態を示す説明図。
【図３】図１に示すネジのロック装置における主ナットに設けた回り止め係合手段の正面図。
【図４】図１に示すネジのロック装置におけるロック用押さえ具に設けた周り止め係合手段の正面図。
【図５】本発明にかかる他の実施形態のネジのロック装置の取り付け状態を示す断面図。
【図６】本発明にかかる他の実施形態のネジのロック装置の取り付け状態を示す断面図。
【図７】図６に示すネジのロック装置における係止具の正面図。
【符号の説明】
２，２０，２００    ボルト
２３，２６，２８    雄ネジ部
２４，２９，７３    逆ネジ部
３，８              主ナット
４，９              副ナット（ロック用押さえ具）
６                  スプリングワッシャー（付勢部材）
７                  副ボルト（ロック用押さえ具）
３２，４２          凹凸面（回り止め係止手段）
１０                係止具（回り止め係止手段）
Ｒ１，Ｒ２，Ｒ３    ネジのロック装置
【図１】
2004204867.tif 000003
【図２】
2004204867.tif 000004
【図３】
2004204867.tif 000005
【図４】
2004204867.tif 000006
【図５】
2004204867.tif 000007
【図６】
2004204867.tif 000008
【図７】
2004204867.tif 000009